(57)【要約】【課題】モバイルネットワーク中の十分に受信可能でない場所を検出する方法及びシステムを提供し、システマティック且つ効率的方法で十分に受信可能でない場所を検出する。【解決手段】  十分に受信可能でない場所を検出する方法は、モバイルネットワークの加入者の登録アドレスに対する対応するコールリストを生成し、該セルリストは、登録アドレスを潜在的にカバーする少なくとも１つのセルを含み、次に、セルリストに関連付けられたコール詳細記録（ＣＤＲ）エントリが得られ、得られたＣＤＲエントリ内に含まれるエラーコードに基づき、登録アドレスがモバイルネットワークの十分に受信可能でない場所であるかどうかを決定する。【選択図】図１
2010004538.tif 000002
【特許請求の範囲】
【請求項１】
複数のセルを有するモバイルネットワーク中の十分に受信可能でない場所を検出する方法であって、該方法が、
モバイルネットワークの加入者の複数のコール詳細記録（ＣＤＲ）エントリをロードすること、そのうち、ロードされたＣＤＲエントリのそれぞれが、対応するコールが終了するエンドセル及び対応するコールがエラーで終了した場合、エラーを記録するエラーコードを示すエンドセル識別子を含み、
加入者の登録アドレスに対して対応するセルリストを生成すること、そのうち、登録アドレスは、加入者がモバイルネットワークに登録しているアドレスであり、そのセルリストは、登録アドレスを潜在的にカバーする少なくとも１つのセルを含み、
ＣＤＲエントリからエンドセル識別子がセルリストに属するＣＤＲエントリを得ること、
得られたＣＤＲエントリのエラーコードに基づき、登録されたアドレスがモバイルネットワークの十分に受信可能でない場所であるか否かを決定すること
を含むモバイルネットワーク中の十分に受信可能でない場所を検出する方法。
【請求項２】
前記決定するステップが、
エラーコードがサービス領域に関連付けられている得られたＣＤＲエントリの数に基づき、登録アドレスに対するサービス領域に関連付けられたエラー率を計算することと、
サービス領域に関連付けられたエラー率に基づき、前記登録アドレスが十分に受信可能でない場所であるかどうかを決定すること
を含む請求項１記載のモバイルネットワーク中の十分に受信可能でない場所を検出する方法。
【請求項３】
前記登録アドレスに対する関連付けられたエラー率が、エラーコードがサービス領域に関連付けられたものである得られたＣＤＲエントリの数をＣＤＲエントリの総数により分割することにより計算される請求項２に記載のモバイルネットワーク中の十分に受信可能でない場所を検出する方法。
【請求項４】
前記複数のセルがモバイルネットワークの第１サブネットワークを形成する複数の第１セルを含み、前記セルリストが、少なくとも第１セルの１つを含む第１セルリストを含み、前記得られるＣＤＲエントリは、それぞれが第１セルリストに属するエンドセル識別子を含むＣＤＲエントリの第１グループを含み、決定するステップが、ＣＤＲエントリの第１グループのエラーコードに基づき、登録アドレスが第１サブネットワークの十分に受信可能でない場所であるかどうかを決定することを含む請求項１に記載のモバイルネットワーク中の十分に受信可能でない場所を検出する方法。
【請求項５】
前記ロードされたＣＤＲエントリのそれぞれが、さらに、対応するコールが作成または受信されるスタートセルを示すスタートセル振動子を含み、前記複数のセルが、複数の第１セル及び第２セルを含み、第１セル及び第２セルがそれぞれモバイルネットワークの第１サブネットワークと第２サブネットワークを形成し、セルリストが第１セルの少なくとも１つを含み、第２セルリストが第２セルの少なくとも１つを含み、第２サブネットワークが最初にアクセスする加入者に対して優先される場合、前記方法がさらに、
スタートセル識別子が第１セルリストに属するロードされたＣＤＲエントリの数に基づき、登録アドレスが第２サブネットワークの十分に受信可能でない場所であるかどうかを決定することを含む請求項１に記載のモバイルネットワーク中の十分に受信可能でない場所を検出する方法。
【請求項６】
前記ロードされたＣＤＲのそれぞれが、さらに、スタートセルからエンドセルまでのハンドオーバーシーケンスを記録するハンドオーバー情報を含む場合、前記方法がさらに、
ハンドオーバー情報がハンドオーバーシーケンスにおける１つのセルと次のセルがそれぞれ第２セルリスト及び第１セルリストに属することを示すロードされたＣＤＲエントリの数に基づき、登録アドレスが第２サブネットワークの十分に受信可能でない場所であるかどうかを決定することを含む請求項１に記載のモバイルネットワーク中の十分に受信可能でない場所を検出する方法。
【請求項７】
複数のセルを有するモバイルネットワークの十分に受信可能でない場所を検出する方法であって、前記方法が、
モバイルネットワークから複数のコール詳細記録（ＣＤＲ）エントリをロードすること、そのうち、ロードされたＣＤＲエントリのそれぞれが、対応するコールが終了するエンドセル及び対応するコールがエラーで終了した場合、エラーを記録するエラーコードを示すエンドセル識別子を含む、
エンドセル識別子がロードされたＣＤＲエントリからのセルの第１セルであるＣＤＲエントリを得ること、
得られたＣＤＲエントリのエラーコードに基づき、第１セルが十分に受信可能でない場所を含むか否かを決定すること
を含むモバイルネットワーク中の十分に受信可能でない場所を検出する方法。
【請求項８】
前記決定するステップが、エラーコードがサービス領域に関連付けられて得られたＣＤＲエントリの数に基づき行われる請求項７に記載のモバイルネットワーク中の十分に受信可能でない場所を検出する方法。
【請求項９】
さらに、第１セルリストのパフォーマンス管理カウンタに基づき、第１セルが十分に受信可能でない場所を含むかどうかを決定することを含み、そのうち、前記パフォーマンス管理カウンタは、コールドロップカウンタ及びコールセットアップ失敗カウンタのいずれか１つである請求項７に記載のモバイルネットワーク中の十分に受信可能でない場所を検出する方法。
【請求項１０】
さらに、セルペア間のハンドオーバーに関連付けられた静的データを記録するハンドオーバーカウンタに基づき、十分に受信可能でない場所がセル内のセルペア間に存在するかどうかを決定することを含む請求項７に記載のモバイルネットワーク中の十分に受信可能でない場所を検出する方法。
【請求項１１】
複数のセルを有するモバイルネットワーク中の十分に受信可能でない場所を検出するシステムであって、前記システムは、
モバイルネットワークの加入者の複数のコール詳細記録（ＣＤＲ）エントリを保存する保存ユニット、そのうち、ＣＤＲエントリのそれぞれが、対応するコールが終了するエンドセル及び対応するコールがエラーで終了した場合、エラーを記録するエラーコードを示すエンドセル識別子を含み、
加入者の登録アドレスに対して対応するセルリストを生成する生成ユニット、そのうち、登録アドレスは、加入者がモバイルネットワークに登録しているアドレスであり、そのセルリストは、登録アドレスを潜在的にカバーする少なくとも１つのセルを含み、
保存ユニット及び生成ユニットに連結し、保存ユニットからのセルリストと関連付けられたＣＤＲエントリを得るデータフィルタリングユニット、そのうち、得られたＣＤＲエントリのそれぞれは、セルリストに属するエンドセル識別子を含み、
データフィルタリングユニットに連結し、得られたＣＤＲエントリのエラーコードに基づき、登録されたアドレスがモバイルネットワークの十分に受信可能でない場所であるか否かを決定する決定ユニット
を含むモバイルネットワーク中の十分に受信可能でない場所を検出するシステム。
【発明の詳細な説明】
【技術分野】
【０００１】
本発明は、モバイルネットワークに関し、特に、モバイルネットワーク中の十分に受信可能でない場所を検出する方法及びシステムに関する。
【背景技術】
【０００２】
モバイルネットワーク中、十分に受信可能でない場所は、多くがＲＦ信号の受信が乏しいかネットワーク装置の容量が不十分であることにより生じ、常に携帯電話会社（mobile operators）の主要な懸念となっている。十分に受信可能でない場所（insufficient coverage location）では、ＲＦ信号の品質が悪いか、受信可能なＲＦ信号が存在しなくなる。十分に受信可能でない場所は、モバイルネットワークに多くの不良な影響、例えば、コールセットアップの失敗率が上昇し、ドロップコールが増加し、電話の音質が悪くなり、データスループットが悪くなり、サービス品質（ＱｏＳ）が悪くなる等を及ぼす。これらの不良な影響は、顧客満足度を下げ、顧客の不快度を増加させ、即ち、顧客にそのモバイルサービスプロバイダーをしばしば変更させることになる。従って、携帯電話会社は、それらのネットワーク中の十分に受信可能でない場所を検出して、それらを解決するために様々な方法に金銭とマンパワーを費やしている。しかしながら、多くの携帯電話会社は、この問題を解決するためのシステマティックで多様な方向を未だに追求している。
【０００３】
駆動テストは、携帯電話会社が十分に受信可能でない場所を探し出すために用いられる公知の方法である。ＲＦ信号品質は、駆動テスト間に直接的に検出することができるが、駆動テストは、まだ多くの欠点を有する。例えば、携帯電話会社は、大量のテスト器材、時間（例えば、一つの市の駆動テストの一ラウンドに数週間を費やす）、及びマンパワーを駆動テスト及び後続のデータ解析に費やす必要がある。更に、駆動テストは、転送渋滞を避ける為、通常、非混雑時間に行われ、屋内へのアクセスが制限され得ることによって主に屋外で行われる。従って、駆動テストは、屋内又は混雑時間（busy hours）に存在する十分に受信可能でない場所を検出することができない。
【先行技術文献】
【特許文献】
【０００４】
【特許文献１】特開平６−３３４６６６号公報
【発明の概要】
【発明が解決しようとする課題】
【０００５】
本発明の目的は、モバイルネットワーク中の十分に受信可能でない場所を検出する方法及びシステムを提供し、システマティック且つ効率的方法で十分に受信可能でない場所を検出することである。
【０００６】
本発明のもう１つの目的は、モバイルネットワーク中の十分に受信可能でない場所を検出する方法及びシステムを提供し、屋内又は混雑時間の十分に受信可能でない場所を検出することである。
【課題を解決するための手段】
【０００７】
本発明の１つの実施例中、複数のセルを有するモバイルネットワーク中の十分に受信可能でない場所を検出する方法を提供する。
その方法は、以下を含む：モバイルネットワークの加入者の複数のコール詳細記録（ＣＤＲ）エントリをロードすること、そのうち、ロードされたＣＤＲエントリのそれぞれが、対応するコールが終了するエンドセル及び対応するコールがエラーで終了した場合、エラーを記録するエラーコードを示すエンドセル識別子を含む；加入者の登録アドレスに対して対応するセルリストを生成する、
そのうち、登録アドレスは、加入者がモバイルネットワークに登録しているアドレスであり、そのセルリストは、登録アドレスを潜在的にカバーする少なくとも１つのセルを含む；ロードされたＣＤＲエントリからセルリストと関連付けられたＣＤＲエントリを得る、そのうち、得られたＣＤＲエントリのそれぞれは、セルリストに属するエンドセル識別子を含む；得られたＣＤＲエントリのエラーコードに基づき、登録されたアドレスがモバイルネットワークの十分に受信可能でない場所であるか否かを決定する。
【０００８】
本発明のもう１つの実施例中、複数のセルを有するモバイルネットワークの十分に受信可能でない場所を検出する方法を提供する。
その方法は、以下を含む：モバイルネットワークから複数のコール詳細記録（ＣＤＲ）エントリをロードすること、そのうち、ロードされたＣＤＲエントリのそれぞれが、対応するコールが終了するエンドセル及び対応するコールがエラーで終了した場合、エラーを記録するエラーコードを示すエンドセル識別子を含む。そして、エンドセル識別子がロードされたＣＤＲエントリからのセルの第１セルであるＣＤＲエントリを得る。得られたＣＤＲエントリのエラーコードに基づき、第１セルが十分に受信可能でない場所を含むか否かを決定する。
【０００９】
本発明のもう１つの実施例中、複数のセルを有するモバイルネットワーク中の十分に受信可能でない場所を検出するシステムを提供する。
そのシステムは、以下を含む：モバイルネットワークの加入者の複数のコール詳細記録（ＣＤＲ）エントリを保存する保存ユニット、そのうち、ＣＤＲエントリのそれぞれが、対応するコールが終了するエンドセル及び対応するコールがエラーで終了した場合、エラーを記録するエラーコードを示すエンドセル識別子を含む。そして、加入者の登録アドレスに対して対応するセルリストを生成する生成ユニット、そのうち、登録アドレスは、加入者がモバイルネットワークに登録しているアドレスであり、そのセルリストは、登録アドレスを潜在的にカバーする少なくとも１つのセルを含む；保存ユニット及び生成ユニットに連結する。そして、保存ユニットからのセルリストと関連付けられたＣＤＲエントリを得るデータフィルタリングユニット、そのうち、得られたＣＤＲエントリのそれぞれは、セルリストに属するエンドセル識別子を含む；データフィルタリングユニットに連結し、得られたＣＤＲエントリのエラーコードに基づき、登録されたアドレスがモバイルネットワークの十分に受信可能でない場所であるか否かを決定する決定ユニット。
【発明の効果】
【００１０】
従来の駆動テストと比較して、本発明は、以下の利点を有する：
（１）より少ない労力で正確な十分に受信可能でない場所を発見する。従来の駆動テストのような多くの労力を費やす必要がなく、アドレスレベルの正確さで十分に受信可能でない場所を検出することができる。
（２）屋内の十分に受信可能でない場所を発見する。従来の駆動テストは、屋内のアクセスが制限されるので屋内の十分に受信可能でない場所を見つけることができないが、第１実施例（登録アドレス）により検出される十分に受信可能でない場所は、通常、屋内である。
（３）時間的利点：従来の駆動テストは、駆動テストが行われる時の時間だけデータの収集、十分に受信可能でない場所の検出がされるが、時間的制限がなく、ＣＤＲデータが生成される期間があるだけ分析される。
（４）空間的利点：従来の駆動テストは、データの収集、十分に受信可能でない場所の検出が、駆動テストが行える領域でのみになるが、空間の制限を受けず、領域と関連付けられたＣＤＲエントリが分析される。
（５）ネットワーク機器の容量不十分により十分に受信可能でない場所を発見する。従来の駆動テストは、非混雑時間に行われるので、ネットワーク機器の容量不十分により生じる十分に受信可能でない場所を発見することが困難である。例えば、ＣＤＭＡベースのネットワークでのセル揺るぎ効果（breathing effect）、即ち、容量不十分なセルのサービス領域がより大きな転送で縮小され、より少ないデータ転送が膨張し、混雑時間で十分に受信可能でない場所が生じる。混雑時間が有効であるＣＤＲデータの分だけそのような十分に受信可能でない場所を検出できる。
【図面の簡単な説明】
【００１１】
【図１】本発明に係る複数のセルを有するモバイルネットワーク中の十分に受信可能でない場所を検出する方法の第１実施例のフローチャートである。
【図２】本発明に係る複数のセルを有するモバイルネットワーク中の十分に受信可能でない場所を検出する方法の第２実施例のフローチャートである。
【図３】本発明に係る複数のセルを有するモバイルネットワーク中の十分に受信可能でない場所を検出する方法の第３実施例のフローチャートである。
【図４】本発明に係る複数のセルを有するモバイルネットワーク中の十分に受信可能でない場所を検出するシステムの実施例のブロック図である。
【発明を実施するための形態】
【００１２】
本発明の特徴は、モバイルネットワーク中の十分に受信可能でない場所を検出する方法及びシステムを提供し、システマティック且つ効率的方法で十分に受信可能でない場所を検出するもので、その方法は、モバイルネットワークの加入者の登録アドレスに対する対応するコールリストを生成し、該セルリストは、登録アドレスを潜在的にカバーする少なくとも１つのセルを含み、次に、セルリストに関連付けられたコール詳細記録（ＣＤＲ）エントリが得られ、得られたＣＤＲエントリ内に含まれるエラーコードに基づき、登録アドレスがモバイルネットワークの十分に受信可能でない場所であるかどうかを決定するものである。
以下、図面に併せて示される本発明の実施例を詳細に説明する。
【００１３】
図１は、本発明に係る複数のセルを有するモバイルネットワーク中の十分に受信可能でない場所を検出する方法の第１実施例のフローチャートである。モバイルネットワークは、携帯構造を有する任意の種の無線ネットワーク、例えば、ＧＳＭ、cdmaOne、ＰＨＳ、ＣＤＭＡ２０００、ＵＭＴＳ、ＥＶＤＯ、ＬＴＥ、ＷｉＭＡＸネットワーク等であることができる。
第１実施例中、十分に受信可能でない場所は、モバイルネットワークの加入者のコール詳細記録（ＣＤＲ）に基づいて検出される。加入者がコールを生成、又は受信する時（例えば、電話の呼び出し）、対応するＣＤＲエントリが加入者に請求する（billing）基礎とするために生成される。
ＣＤＲエントリが基本的に以下の情報を含む：（１）加入者の電話番号；（２）対応するコールが生成又は受信されるスタートセルを示す為のスタートセル識別子；（３）対応するコールが終了するエンドセルを示すエンドセル識別子；（４）対応するコールの開始時間；（５）対応するコールの終了時間；（６）対応するコールがエラーにより断たれた場合のエラーを記録するエラーコード（いわゆる、原因コード、クリアコード又は失敗コード）。
幾つかのモバイルネットワークでは、エラーコードは、エラーが発生した時だけ生成され、他のモバイルネットワークでは、エラーコードは、対応するコールが正常に終了した時も生成され、エラー発生がないことを示す。また、幾つかのモバイルネットワークでは、上記アイテム（５）が対応するコールの時間により置き換えられる。
第１実施例は、各加入者のＣＤＲデータとその登録アドレスを組み合わせ、十分に受信可能でない場所をより正確に探し出すことができる。登録されたアドレスは、加入者が加入者のプロファイルの一部としてモバイルネットワークに登録したアドレスであり、通常、請求するアドレスとして使用される。第１実施例の基礎概念は、以下の通りである：登録アドレス、基本的に加入者の自宅又は職場は、通常、モバイルネットワークを介して、頻繁に加入者がコールを生成又は受信する場所である。
一方で、ＣＤＲエントリのエンドセル識別子又はエラーコードを試験することにより、対応するコールが受信障害により断絶されたかどうか、例えば、対応するコールのエンドセル内の十分に受信可能でない場所を決定することができる。このように、加入者のＣＤＲエントリが十分に受信可能でない場所が加入者の登録アドレスをカバーする１つ以上のセルに存在することが見られる場合、登録アドレスが正に十分に受信可能でない場所である可能性が高い。この規則において、十分に受信可能でない場所が、非常に正確に検出することができる。
【００１４】
次に、第１実施例を図１とともに詳細に説明する。ステップ１１では、加入者の複数のＣＤＲエントリがモバイルネットワークからロードされる。ステップ１２では、セルリストは、モバイルネットワークの受信可能領域のマップを探し出すことにより生成され、マップ上の各セルの受信可能な領域を表示する。登録アドレスは、グラフィカルインフォメーションシステム（ＧＩＳ）に照合することにより緯度と経度のタームに表し直すことができる。フロア情報が登録アドレスで有効であれば、登録アドレスが緯度、経度および高度のタームによってより正確に表すことができる。
【００１５】
ステップ１３では、セルリストと関連付けられたＣＤＲエントリがステップ１１でロードされたＣＤＲエントリから得られる。得られたＣＤＲのそれぞれがセルリストに属するエンドセル識別子を含む。
【００１６】
ステップ１４では、得られたＣＤＲエントリのエラーコードに基づき、登録アドレスがモバイルネットワークの十分に受信可能でない場所であるかどうかが決定される。第１に、登録アドレスに対するサービス領域に関連付けられた（coverage-related）エラー率は、得られるＣＤＲエントリのエラーコードに基づき、計算される。例えば、サービス領域に関連付けられたエラー率は、エラーコードがサービス領域に関連付けられたものである。そして、得られたＣＤＲエントリの数をＣＤＲエントリの総数により分割したものと同一であることができる。
サービス領域に関連付けられたエラーコードを含むＣＤＲエントリは、対応するコールがサービス領域の障害により終了されたものであることを意味し、十分に受信可能でない場所の存在を意味する。例えば、３ＧＰＰ  ＲＡＮＡＰ（Radio Access Network Application Protocol）仕様において、原因コード１４（ラジオインタフェースプロセスでの失敗）、原因コード１５（ＵＴＲＡＮが生成する原因によりリリース）、及び原因コード４６（ユーザ装置とのラジオ接続の欠落）は、サービス領域に関連付けられたエラーコードの幾つかの例である。このように、サービス領域に関連付けられたエラー率が高いほど、登録アドレスが十分に受信可能でない場所である可能性がある。
第２に、サービス領域に関連付けられたエラー率に基づき、登録アドレスが十分に受信可能でない場所かどうかが決定される。例えば、サービス領域に関連付けられたエラー率が第１閾値より高い場合、登録アドレスが十分に受信可能でない場所であると決定する。第１閾値は、モバイルネットワークの異なるＱｏＳの要求に応じて構成可能である。モバイルネットワークがより高いＱｏＳ要求を有するほど、第１閾値は、高く設定することができる。
【００１７】
従来の駆動テストと比較して、図１の第１実施例は、以下の利点を有する：
（１）より少ない労力で正確な十分に受信可能でない場所を発見する：第１実施例は、従来の駆動テストのような多くの労力を費やす必要がなく、アドレスレベルの正確さで十分に受信可能でない場所を検出することができる。
（２）屋内の十分に受信可能でない場所を発見する：従来の駆動テストは、屋内のアクセスが制限されるので屋内の十分に受信可能でない場所を見つけることができないが、第１実施例（登録アドレス）により検出される十分に受信可能でない場所は、通常、屋内である。
（３）時間的利点：従来の駆動テストは、駆動テストが行われる時の時間だけデータの収集、十分に受信可能でない場所の検出がされるが、第１実施例は、時間的制限がなく、ＣＤＲデータが生成される期間があるだけ分析される。
（４）空間的利点：従来の駆動テストは、データの収集、十分に受信可能でない場所の検出が、駆動テストが行える領域でのみになるが、第１実施例は、空間の制限を受けず、領域と関連付けられたＣＤＲエントリが分析される。
（５）ネットワーク機器の容量不十分により十分に受信可能でない場所を発見する：従来の駆動テストは、非混雑時間に行われるので、ネットワーク機器の容量不十分により生じる、十分に受信可能でない場所を発見することが困難である。例えば、ＣＤＭＡベースのネットワークでのセル揺るぎ効果（breathing effect）、即ち、容量不十分なセルのサービス領域がより大きな転送で縮小され、より少ないデータ転送が膨張し、混雑時間で十分に受信可能でない場所が生じる。第１実施例は、混雑時間が有効であるＣＤＲデータの分だけそのような十分に受信可能でない場所を検出できる。
【００１８】
第１実施例は、十分に受信可能でない場所の正確な検出を提供し、特に屋内では、携帯電話会社は、それらのネットワークのサービス領域障害をより良く理解でき、十分に受信可能でない場所を検出するための異なる戦略を採用することができる。例えば、発見した十分に受信可能でない場所が職場の建物内にある場合、携帯電話会社は、新しいサイト、例えば、ピコセルを加えるか、サービス領域を完全にするための適切な場所にリピータを導入することができる。検出した十分に受信可能でない場所が居住用の場所にある時、携帯電話会社は、必要に応じてフェムトセルの導入を進めるか、新しいサイトを設立することができる。
【００１９】
第１実施例は、複数のラジオアクセステクノロジー（ＲＡＴ）に基づき実装されるハイブリッドモバイルネットワークに適用することもできる。例えば、ハイブリッドモバイルネットワークは、第１ＲＡＴに基づき実装される複数の第１セルにより形成される第１サブネットワークと、第２ＲＡＴに基づき実装される複数の第２セルにより形成される第２サブネットワークを含む。第１および第２サブネットワークは、それぞれＧＳＭネットワークおよびＵＭＴＳネットワークである。
第１実施例がどのようにハイブリッドモバイルネットワークに適用されるかは、後に説明する。
図１を参照すると、ステップ１１でモバイルネットワークの加入者のＣＤＲエントリをロードすると、ステップ１２において、加入者の登録アドレスに対するセルリストを生成し、セルリストは登録アドレスを潜在的にカバーする１つ以上のセルを含む。ここで、セルリストは、第１セルリストおよび第２セルリストを含むが、第１セルリストは、第１セルの少なくとも１つを含み、第２セルリストは、第２セルの少なくとも１つを含む。
ステップ１３では、ロードされたＣＤＲエントリからセルリストに関連付けられたＣＤＲエントリを得る。すなわち、得られたＣＤＲエントリは、ＣＤＲエントリの第１グループと第２グループを含む。第１グループの各ＣＤＲエントリは、第１セルリストに属するエンドセル識別子を含み、第２グループの各ＣＤＲエントリは、第２セルリストに属するエンドセル識別子を含む。
ステップ１４では、ＣＤＲエントリの第１グループのエラーコードに基づき、登録アドレスが第１サブネットワークの十分に受信可能でない場所であるかどうかを決定することができる。
上記と同様に、登録アドレスに対する第１のサービス領域に関連付けられたエラー率がＣＤＲエントリの第１グループのエラーコードに基づき計算されることができ、第１のサービス領域に関連付けられたエラー率に基づき、登録アドレスが第１サブネットワークの十分に受信可能でない場所であるかどうかが決定することができる。同様に、ＣＤＲエントリの第２グループのエラーコードに基づき、登録アドレスが第２サブネットワークの十分に受信可能でない場所であるかどうかが決定することができる。
【００２０】
上記ハイブリッドモバイルネットワークでは、加入者がいずれかのネットワークサービスを必要とする場合、加入者は、第１および第２サブネットワークのいずれか１つの最初にアクセスする必要がある。例えば、第１および第２サブネットワークは、それぞれＧＳＭネットワークおよびＵＭＴＳネットワークである場合、且つ加入者がＵＭＴＳユーザとしてハイブリッドネットワークに登録する場合、第２サブネットワークは、最初にアクセスする加入者に対して優先される。
第２サブネットワークのサービスが有効でない場合、加入者は、代わりに第１サブネットワークにアクセスさせられる。この場合、第１実施例は、さらに、スタートセル識別子が第１セルリストに属するステップ１１でロードされたＣＤＲエントリの数に基づき、加入者の登録アドレスが第２のサブネットワークの十分に受信可能でない場所かどうかを決定するステップを含む（図１に示さず）。この数が大きい場合（例えば、予め決められた値より大きい）、加入者が第２サブネットワークにアクセスするために要求されるが、実際には、第１サブネットワークにより頻繁にアクセスすることを意味し、第２サブネットワークが登録アドレスで十分に受信可能でない場所を有する可能性が高い。
【００２１】
また、上記ハイブリッドの場合、各ＣＤＲエントリがスタートセルからエンドセルまでのハンドオーバーシーケンスを記録するハンドオーバー情報を含む場合、ハンドオーバー情報が第１又は第２サブネットワークの十分に受信可能でない場所を検出することに用いることができる。エンドセルがスタートセルと同一である場合、対応するセルにおいて、ハンドオーバーが起こっておらず、そのハンドオーバー情報はない。対応するコールがスタートセルから直接エンドセルにハンドオーバーされる場合、ハンドオーバーシーケンスが適切にスタートセルおよびエンドセルを含む。対応するコールが１つ以上の中間のセルを介してスタートセルからエンドセルまでハンドオーバーされる場合、ハンドオーバーシーケンスがスタートセル、中間セル、エンドセルを適切に含む。この場合、第１実施例は、さらに、ハンドオーバー情報がハンドオーバーシーケンスで１つのセル及び次のセルがそれぞれ第２セルリスト及び第１セルリストに属することを示すステップ１１でロードされたＣＤＲエントリの数に基づき、加入者の登録アドレスが第２のサブネットワークの十分に受信可能でない場所かどうかを決定するステップを含む（図１に示さず）。
この数が大きい場合（例えば、予め決められた値より大きい）、加入者が登録アドレスでコールを生成、受信又は維持する時、コールが第２サブネットワークから第１サブネットワークにしばしばハンドオーバーされることを意味し、第２サブネットワークが登録アドレスで十分に受信可能でない場所を有する可能性が高い。
【００２２】
図２は、本発明に係る複数のセルを有するモバイルネットワーク中の十分に受信可能でない場所を検出する方法の第２実施例のフローチャートである。
第２実施例中、十分に受信可能でない場所は、ＣＤＲエントリに基づき検出され、ＣＤＲデータが第１実施例と若干異なる方法で用いられる。第２実施例の基本概念は、以下の通りである：ＣＤＲエントリのエンドセル識別子及びエラーコードを試験することによって、サービス領域障害、例えば、対応するコールのエンドセル内の十分に受信可能でない場所によって対応するコールが終了されたかどうかを決定することができる。このように、同一のエンドセル識別子を有するある程度のＣＤＲエントリのそれぞれがサービス領域に関連付けられたエラーコードを有する場合、十分に受信可能でない場所がこのエンドセルに存在する可能性が高い。
【００２３】
次に、第２実施例を図２に併せて詳細に説明する。
ステップ２１では、複数のＣＤＲエントリがモバイルネットワークからロードされる。
ステップ２２では、エンドセル識別子が特定のセルであるいずれかのＣＤＲエントリがステップ２１でロードされたＣＤＲエントリから得られる。
ステップ２３では、ステップ２２で得られたＣＤＲエントリのエラーコードに基づき、第３セルが十分に受信可能でない場所を含むかを決定する。
特に、比率は、最初にエラーコードがサービス領域に関連付けられて得られたＣＤＲエントリの数を得られたＣＤＲエントリの総数で分割することにより計算される。この時、比率が第２閾値より高ければ、第３セルにより維持されるコールがサービス領域障害で終了した可能性が高いことを意味し、第３セルが十分に受信可能でない場所と決定することができる。更に、比率が高いほど、十分に受信可能でない場所が深刻である。第２閾値は、モバイルネットワークのＱｏＳ要求の違いに応じて設定することができる。
【００２４】
ＲＦ伝播モデルでは、セルの中心からより離れた場所が、ＲＦ信号強度がより弱いということが得られる。このように、第３セルがステップ２３において、十分に受信可能でない場所を含むと決定された場合、十分に受信可能でない場所が第３セルのサービス領域の外側に出現する可能性が高い。この規則において、十分に受信可能でない場所がより正確に配置される。
【００２５】
更に、ステップ２１でロードされたＣＤＲエントリのそれぞれが対応するコールがハンドオーバーされたセルからエンドセルまでのハンドオーバーを示すハンドオーバー識別子を含む場合（即ち、対応するコールがハンドオーバーセルからエンドセルまでハンドオーバーされる）、第２実施例は、セルペア間の十分に受信可能でない場所を検出することができる。
特に、ロードされたＣＤＲエントリは、セルペア間のハンドオーバー失敗の可能性が高いことを示し、十分に受信可能でない場所がセルペア間、即ち、セルペアのオーバーラッピングサービス領域に存在することを決定することができる。例えば、セルペアが第４および第５セルを含む場合、エンドセル識別子およびハンドオーバー識別子がそれぞれ第４および第５セルである（又はそれぞれ第５および第４セルである）ＣＤＲエントリは、最初にステップ２１でロードされるＣＤＲエントリから得ることができる。
この時、比率は、エラーコードがハンドオーバーに関連付けられて得られるＣＤＲエントリの数を得られたＣＤＲエントリの総数で分割することにより計算される。ＣＤＲエントリがハンドオーバーに関連付けられたエラーコードを含むことは、対応するコールがハンドオーバー失敗により終了されたことを意味する。
上記比率が第３閾値より高い場合、第４及び第５セル間のハンドオーバーが失敗である可能性が高いことを意味し、十分に受信可能でない場所が第４及び第５セル間に存在することを決定することができる。第３閾値は、モバイルネットワークのＱｏＳ要求の違いに応じて設定することができる。
【００２６】
留意すべきことは、第１及び第２実施例において、モバイルネットワークにより提供され、且つＣＤＲのような情報を含む如何なる種のデータも十分に受信可能でない場所を検出するのに使用することができる。例えば、ＣＤＭＡベースのネットワークにおけるコール詳細ログ（ＣＤＬ）又はＭＭＲ（mobile measurement reports）がＣＤＲのようなものより情報を含むので、第１及び第２実施例において使用するＣＤＲのような情報は、ＣＤＬ又はＭＭＲデータから得ることができる。
【００２７】
図３は、本発明に係る複数のセルを有するモバイルネットワーク中の十分に受信可能でない場所を検出する方法の第３実施例のフローチャートである。
第３実施例中、十分に受信可能でない場所は、モバイルネットワークのパフォーマンス管理カウンタに基づいて検出され、モバイルネットワークのオペレーション状態について安定したデータを提供することができる。
ステップ３１は、十分に受信可能でない場所がセル内に存在するかどうかを決定することができ、ステップ３２は、十分に受信可能でない場所がセルペア間、即ち、セルペアのオーバーラッピングサービス領域に存在するかどうかを決定することができる。
特に、ステップ３１では、第６セルのパフォーマンス管理カウンタに基づき、特定セルが十分に受信可能でない場所を含むかどうかが決定され、パフォーマンス管理カウンタは、コールドロップカウンタ及びコールセットアップ失敗カウンタであることができる。第６セルのコールドロップカウンタ又はコールセットアップ失敗カウンタの値が第５閾値（ＱｏＳの要求に応じて設定可能）より高い場合、第６セルのサービス領域内のＲＦ信号の品質が悪いことを意味し、第６セルが十分に受信可能でない場所を含む可能性がある。
更に、コールドロップカウンタの値と第６セルにより維持されるコール総数の比、又はコールセットアップ失敗カウンタの値と第６セルを介して初期化されたコール試行の総数の比が第６セルの十分に受信可能でない場所の深刻性を示すことに用いられることができ、比が高いほど、十分に受信可能でない場所が深刻である。更に、ＲＦ伝播モデルに基づき、第６セルが十分に受信可能でない場所を含むと決定される場合、十分に受信可能でない場所が第６セルのサービス領域の外側に存在する可能性が高い。
【００２８】
ステップ３２では、セルペア間のハンドオーバーに関連付けられた静的データを記録したハンドオーバーカウンタに基づき、十分に受信可能でない場所がセルペア間に存在するかどうかが決定される。ハンドオーバーカウンタは、パフォーマンス管理カウンタの一種であり、ハンドオーバーに関連付けられた静的データがハンドオーバー試行の時間数又はセルペア間のハンドオーバー失敗の数を含む。ハンドオーバー試行時間数又はセルペア間のハンドオーバー失敗の数が第５閾値（ＱｏＳの要求に応じて設定可能）より高い場合、セルペア間のオーバーラッピングサービス領域内でＲＦ信号品質が悪いことを意味し、十分に受信可能でない場所がセルペア間に存在する可能性が高い。
【００２９】
第３実施例では、モバイルネットワークが複数のラジオアクセステクノロジー（ＲＡＴ）に基づくハイブリッドネットワークである場合、Ｉｎｔｅｒ−ＲＡＴのハンドオーバーに関する静的データが十分に受信可能でない場所の検出に用いられることができる。
例えば、既存のネットワーク（ＧＳＭ、cdmaOne、ＰＨＳ等）の上の新しいＲＡＴ（ＵＭＴＳ、ＣＤＭＡ２０００、ＥＶＤＯ、ＬＴＥ、ＷＩＭＡＸ等）を基礎にネットワーク構築を延ばしている携帯電話会社は、通常、新しいネットワークから既存のネットワークへハンドオーバーさせ、新たに延びている新しいネットワークの不良なサービス領域を作っている。
従って、Inter−ＲＡＴハンドオーバーのこの種の記録のハンドオーバーカウンタは、十分に受信可能でない場所の検出を発展させることに使用することができる。例えば、ＵＭＴＳからＧＳＭへのハンドオーバーは、通常、ユーザが劣ったＵＭＴＳネットワークサービス領域へ移動する場合、ＧＳＭ／ＵＭＴＳ共存ネットワーク内で許可され、コールが継続されること又は、生成されることを確実にすることができ、対応するInter−ＲＡＴハンドオーバーカウンタがＵＭＴＳからＧＳＭへのハンドオーバーの時間数の記録に用いられる。この場合、ＵＭＴＳセルが高いIter−ＲＡＴから１つ以上のＧＳＭセルへのハンドオーバーを有する場合、このＵＭＴＳセルがサービス領域問題を有する可能性が高い。
問題のＵＭＴＳを確定する比が、ＵＭＴＳセルからＧＳＭセルへのInter−ＲＡＴハンドオーバーの時間数をＵＭＴＳセルからハンドオーバーの総数で分割することにより計算することができる。この時、比が第６閾値（設定可能である）より高い場合、ＵＭＴＳセルが十分に受信可能でない場所を有し、ＵＭＴＳセルにより維持されるコールがＧＳＭセルにハンドオーバーされる可能性が高いことを意味する。問題のありそうなセルを確認することについて、類似する技術が例えば、ＧＳＭ９００およびＧＳＭ１８００共有ネットワークのような周波数内ハンドオーバーの許可される異なる周波数に基づき実装されるネットワークに適合することができる。
【００３０】
上記のようなＧＳＭ／ＵＭＴＳ共有ネットワーク内の問題のあるＵＭＴＳセルを確認した後、十分に受信可能でない場所がその間に存在する問題のありそうなセルペアがさらに問題のあるＵＭＴＳセルの各隣接するＧＳＭセルにより占められるＵＭＴＳからＧＳＭまでの全てのハンドオーバーの割合をチェックすることにより確証することができる。
問題のあるＵＭＴＳセルの各隣接するＧＳＭセルにより占められるＵＭＴＳからＧＳＭまでの全てのハンドオーバーの割合が他のＧＳＭセルにより占められるものより大きい場合、十分に受信可能でない場所が特定隣接ＧＳＭセルおよび問題のあるＵＭＴＳセルを含むセルペア間に存在する可能性が高い。
【００３１】
第２実施例は、ＣＤＲデータに基づき、十分に受信可能でない場所を検出し、第３実施例は、パフォーマンス管理カウンタに基づき、十分に受信可能でない場所を検出する。
留意すべきことは、第２、第３実施例は、１つに組み合わせることができ、相乗効果によってより正確に十分に受信可能でない場所を検出することができることである。第２、第３実施例は、従来の駆動テストの実行をより効率的に補助することができる。問題のありそうなセルまたはセルペアが第２、第３実施例により最初に確定することができる。
それから、駆動テストが問題のありそうなセル又はセルペア内でのみ行われることができ、疑わしくないセル又はセルに対するリソースの浪費を避けることができる。更に、高い深刻度で確証されたセル又はセルペアが最優先で駆動テストを行われ、駆動テストの効率を向上させることができる。
【００３２】
図４は、本発明に係る複数のセルを有するモバイルネットワーク中の十分に受信可能でない場所を検出するシステムの実施例のブロック図であり、そのうち、その検出するシステム４０は、保存ユニット４１と、生成ユニット４２と、データフィルタリングユニット４３と、決定ユニット４４と、を含む。
保存ユニット４１は、モバイルネットワークの加入者の複数のＣＤＲエントリを保存する。生成ユニット４２は、加入者の登録アドレスに対して対応するセルリストを生成し、セルリストは、登録アドレスを潜在的にカバーする少なくとも１つのセルを含む。データフィルタリングユニット４３は、保存ユニット４１及び生成ユニット４２を含み、得られるＣＤＲエントリは、保存ユニット４１からセルリストに関連付けられる。各得られたＣＤＲエントリは、セルリストに属するエンドセル識別子を含む。決定ユニット４４は、データフィルタリング４３に連結され、得られるＣＤＲエントリのエラーコードに基づき、登録アドレスがモバイルネットワークの十分に受信可能でない場所かどうかを決定する。好ましくは、決定ユニット４４は、得られたＣＤＲエントリのエラーコードに基づき、登録アドレスに対してサービス領域に関連付けられてエラー率を先ず計算し、例えば、サービス領域に関連付けられたエラー率は、エラーコードがサービス領域に関連付けられて得られたＣＤＲエントリの数を、得られたＣＤＲエントリの総数で分割したものである。
この時、決定ユニット４４は、サービス領域に関連付けられたエラー率に基づき、登録アドレスが十分に受信可能でない場所かどうかを決定する。例えば、登録アドレスに対してサービス領域に関連付けられたエラー率が上記第１閾値より高い場合、登録アドレスが十分に受信可能でない場所であると決定する。
【００３３】
留意すべきことは、上記実施例は、セル以外に、セクター（ＣＤＭＡネットワークに対して）、Node B（ＵＭＴＳネットワークに対して）、アクセスポイント（ＷＩＭＡＸネットワークに対して）等、複数の携帯電話ネットワークユニットを含むモバイルネットワークにも適用できる。十分な情報が記録されれば、携帯電話ネットワークユニットは、セルより有効であることができる。例えば、セル識別子及びタイミングアドバンス値（Timing Advance value）が何れも有効である場合、携帯電話ネットワークユニットは、セルより良好な“セル識別子＋タイミングアドバンス値”であることができる。
【００３４】
留意すべきことは、上記全ての実施形態で“ハンドオーバー”は、モバイルネットワークの種類により他の用語(term)、ハンドオフ、セルアップデート、セルチェンジ等で置き換えることができるということである。
【００３５】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００３６】
１１〜１４，２１〜２３，３１，３２  ステップ
４０  検出するシステム
４１  保存ユニット
４２  生成ユニット
４３  データフィルタリングユニット
４４  決定ユニット
【図１】
2010004538.tif 000003
【図２】
2010004538.tif 000004
【図３】
2010004538.tif 000005
【図４】
2010004538.tif 000006